(57)【要約】  【課題】  食事用具の立て掛け角度が大きくなった場合においても、食事用具が筒形枠部内から抜け落ちたり、食事用具の中途が底部の外縁に引掛かったりするのをなくすることができる食器洗い機を提供する。  【解決手段】  内部に水が噴射される洗浄槽２と、該洗浄槽２に収容され、食事用具Ｂを立て掛けて収納する筒形枠部５１及び底部５２を有し、該底部５２の外縁５２ａが他の部分の外縁より大きい食事用具収納篭５とを備えた構成とすることにより、食事用具Ｂの立て掛け角度が大きくなった場合においても、食事用具Ｂの先端を底部５２の外縁側で受止めることができるようにした。【選択図】      図１
2006288893.tif 000002
【特許請求の範囲】
【請求項１】
内部に水が噴射される洗浄槽と、該洗浄槽に収容され、食事用具を立て掛けて収納する筒形枠部及び底部を有し、該底部の外縁が他の部分の外縁より大きい食事用具収納篭とを備えることを特徴とする食器洗い機。
【請求項２】
前記底部は扁平であり、且つ水平面に対し傾斜している請求項１記載の食器洗い機。
【請求項３】
前記食事用具収納篭は、前記筒形枠部内を区分する区分部材を有する請求項１又は２記載の食器洗い機。
【請求項４】
並置された複数の食事用具収納篭を備える請求項１乃至３のいずれかひとつに記載の食器洗い機。
【発明の詳細な説明】
【技術分野】
【０００１】
本発明は洗浄槽内に食事用具収納篭を備える食器洗い機に関する。
【背景技術】
【０００２】
食器洗い機は、内部に水が噴射される洗浄槽と、該洗浄槽に収容され、箸、スプーン等の食事用具が立て掛けて収納される食事用具収納篭とを備えており、洗浄槽内に噴射される水により食事用具収納篭内の食事用具を洗浄するように構成されている。（例えば、特許文献１、２参照）。
【０００３】
食事用具収納篭は、上下に離隔する複数の囲い部材、及びその周方向に離隔して配され夫々の囲い部材を連結する複数の連結部材を有する筒形枠部と、前記連結部材の夫々の下端に連なり、筒形枠部外面とほぼ等しい外縁となるように形成された底部とを備えており、上部の入出口から筒形枠部内に挿入された食事用具の先端を底部で受止め、食事用具の基部が筒形枠部の上縁に立て掛けられる。また、前記底部には上下に貫通する複数の排水孔が設けられている。
【特許文献１】特開平８−２４２０３号公報
【特許文献２】特開平４−２００４３０号公報
【発明の開示】
【発明が解決しようとする課題】
【０００４】
ところが、従来の食器洗い機の食事用具収納篭は、上下の全長に亘ってほぼ等しい大きさに形成されているため、食事用具収納篭内に挿入された食事用具に前記噴射水をよく当てるようにすべく食事用具の立て掛け角度を大きくした場合、食事用具の先端が底部の外縁を食み出し、筒形枠部内から食事用具が抜け落ちたり、食事用具の中途が底部の外縁に引掛かることがあった。また、前記食事用具に付着している米粒、野菜等の汚物が底部の排水孔に引掛かり、この汚物が底部に残留することになり、衛生上好ましくなかった。また、食事用具収納篭内に挿入された食事用具はほぼ同じ方向に立て掛けられるため、隣合う食事用具が重なり、前記噴射水が十分にかからなくて、洗浄されない部分が生じたり、乾燥時間が長くなることがあった。
【０００５】
本発明は斯かる事情に鑑みてなされたものであり、主たる目的は食事用具を立て掛けて収納する筒形枠部及び底部を有し、該底部の外縁を他の部分の外縁より大きくした食事用具収納篭を設けることにより、食事用具が筒形枠部内から抜け落ちたり、食事用具の中途が底部の外縁に引掛かったりするのをなくすることができる食器洗い機を提供することにある。
【０００６】
また、他の目的は食事用具収納篭の底部を扁平とし、且つ水平面に対し傾斜させることにより、汚物が底部に残留するのを防ぐことができる食器洗い機を提供することにある。
【０００７】
また、他の目的は食事用具収納篭の筒形枠部内を区分することにより、夫々の食事用具の全体に噴射水をかけることができ、食事用具の全体を洗浄することができる食器洗い機を提供することにある。
【０００８】
また、他の目的は並置された複数の食事用具収納篭を備えることにより、同じ種類の食事用具に振り分けて洗浄することができる食器洗い機を提供することにある。
【課題を解決するための手段】
【０００９】
本発明に係る食器洗い機は、内部に水が噴射される洗浄槽と、該洗浄槽に収容され、食事用具を立て掛けて収納する筒形枠部及び底部を有し、該底部の外縁が他の部分の外縁より大きい食事用具収納篭とを備えることを特徴とする。
【００１０】
この発明にあっては、食事用具収納篭の底部の外縁を他の部分の外縁より大きくしてあるため、食事用具収納篭内に挿入された食事用具に噴射水をよく当てるようにすべく食事用具の立て掛け角度が大きくなった場合においても、食事用具の先端を底部で受止めることができ、食事用具が筒形枠部内から抜け落ちたり、食事用具の中途が底部の外縁に引掛かったりするのをなくすることができる。
【００１１】
また、本発明に係る食器洗い機は、前記底部は扁平であり、且つ水平面に対し傾斜していることを特徴とする。
【００１２】
この発明にあっては、食事用具から分離した米粒、野菜等の汚物を底部に沿ってスムーズに落下させることができ、汚物が底部に残留するのを防ぐことができる。
【００１３】
また、本発明に係る食器洗い機は、前記食事用具収納篭は、前記筒形枠部内を区分する区分部材を有することを特徴とする。
【００１４】
この発明にあっては、食事用具を区分された筒形枠部内に振り分けて立て掛けることができるため、夫々の食事用具の全体に噴射水をかけることができ、食事用具の全体を洗浄することができるし、また、食事用具を乾き易くできる。
【００１５】
また、本発明に係る食器洗い機は、並置された複数の食事用具収納篭を備えることを特徴とする。
【００１６】
この発明にあっては、複数種類の食事用具を洗浄する場合においても、同じ種類の食事用具に振り分けて洗浄することができるため、夫々の食事用具の全体に噴射水をかけることができ、食事用具の全体を洗浄することができるし、また、食事用具を乾き易くできる。
【発明の効果】
【００１７】
本発明によれば、食事用具収納篭内に挿入された食事用具の立て掛け角度が大きくなった場合においても、食事用具の先端を底部で受止めることができ、食事用具が筒形枠部内から抜け落ちたり、食事用具の中途が底部の外縁に引掛かったりするのをなくすることができる。
【００１８】
また、本発明によれば、食事用具から分離した米粒、野菜等の汚物を傾斜している底部に沿ってスムーズに落下させることができ、汚物が底部に残留するのを防ぐことができる。
【００１９】
また、本発明によれば、食事用具を区分けされた筒形枠部内に振り分けて立て掛けることができるため、夫々の食事用具の全体に噴射水をかけることができ、食事用具の全体を洗浄することができるし、また、食事用具を乾き易くできる。
【００２０】
また、本発明によれば、同じ種類の食事用具に振り分けて洗浄することができるため、夫々の食事用具の全体に噴射水をかけることができ、食事用具の全体を洗浄することができるし、また、食事用具を乾き易くできる。
【発明を実施するための最良の形態】
【００２１】
以下本発明をその実施の形態を示す図面に基づいて詳述する。
実施の形態１
図１は本発明に係る食器洗い機の構成を示す縦断正面図、図２は図１のII−II線の断面図、図３は食事用具収納篭の構成を示す正面図、図４は食事用具収納篭の構成を示す斜視図である。
【００２２】
図に示した食器洗い機は、筐体１と、該筐体１内に配置され、その前面に開口部２１を有する洗浄槽２と、該洗浄槽２に収容され、食器Ａが載せられるあみ篭形状の上側及び下側の食器受具３，４と、下側の食器受具４の一側に保持され、箸及びスプーン等の食事用具Ｂが立て掛けて収納される食事用具収納篭５と、下側の食器受具４の下側に配置され、食器受具３，４に載せられた食器Ａ及び食事用具収納篭５に収納された食事用具Ｂに向けて水を噴射する複数の回転可能なノズル６と、該ノズル６に分配弁を介して加圧水を供給するポンプ７と、洗浄槽２内を乾燥させるヒータ８と、開口部２１を閉じ、上下方向へ回動自在に筐体１に枢支された扉体９とを備える食器洗い乾燥機である。
【００２３】
洗浄槽２内の両側の上下にはその長手方向が前後となる上側及び下側の案内条２２，２２、２３，２３が平行的に設けられており、夫々の案内条２２，２２、２３，２３に食器受具３，４が摺動自在に載置されている。
【００２４】
食事用具収納篭５は、上部を食事用具の入出口５ａとした略直方体をなしており、上下に離隔する複数の囲い部材５１ａ及びその周方向に離隔して配され夫々の囲い部材５１ａを連結する二つの連結部材５１ｂ，５１ｂを有する筒形枠部５１と、連結部材５１ｂ，５１ｂの夫々の下端に連なり、扁平とした平面視矩形の底部５２とを備え、筒形枠部５１及び底部５２が合成樹脂材により一体成形されている。夫々の囲い部材５１ａ及び連結部材５１ｂ，５１ｂの間と、囲い部材５１ａ及び底部５２の間とには排水孔５３が設けられており、食事用具収納篭５内に入った洗浄水は排水孔５３から洗浄槽２内に落下するように構成されている。
【００２５】
食事用具収納篭５の底部５２は、外縁５２ａを他の部分の外縁、換言すれば筒形枠部５１の外縁より大きくしてあり、食事用具Ｂを筒形枠部５１の上縁に立て掛けたとき、食事用具Ｂの先端が底部５２の外縁５２ａを食み出さないように構成されている。即ち、筒形枠部５１の上縁に立て掛けられた食事用具Ｂの中途が最下位の囲い部材５１ａに当接した場合の立て掛け線と交差する位置より外側となる大きさに形成されている。
【００２６】
以上のように構成された食器洗い機は、食事用具収納篭５の底部５２を、外縁５２ａが他の部分の外縁より大きくしてしてあるため、食事用具Ｂの立て掛け角度が大きくなった場合においても、食事用具Ｂの先端を底部５２で受止めることができ、食事用具Ｂが筒形枠部５１内から抜け落ちたり、食事用具Ｂの中途が底部５２の外縁５２ａに引掛かったりするのをなくすることができる。しかも、食事用具Ｂの先端が筒形枠部５１外面より外側となる位置で食事用具Ｂを立て掛けることができるため、上方から落下する噴射水が食事用具Ｂの先端部分に当たり易くなり、食事用具Ｂの洗浄効率を高めることができる。
【００２７】
実施の形態２
図５は食器洗い機の実施の形態２の食事用具収納篭の構成を示す正面図、図６は食事用具収納篭の構成を示す斜視図である。この食器洗い機は、実施の形態１のように外縁５２ａが他の部分の外縁より大きい底部５２を有する食事用具収納篭５の底部５２を、排水孔をなくした扁平とし、水平面に対し傾斜させたものである。
【００２８】
実施の形態２にあっては、食事用具収納篭５に挿入された食事用具Ｂに米粒、野菜等の汚物が付着している場合においても、洗浄水により食事用具Ｂから分離した汚物を底部５２の扁平面に沿ってスムーズに落下させることができ、汚物が底部５２に残留するのを防ぐことができる。
その他の構成及び作用は実施の形態１と同様であるため、同様の部品については同じ符号を付し、その詳細な説明及び作用効果の説明を省略する。
【００２９】
実施の形態３
図７は食器洗い機の実施の形態３の食事用具収納篭の構成を示す正面図、図８は食事用具収納篭の構成を示す斜視図である。この食器洗い機は、実施の形態１のように外縁５２ａが他の部分の外縁より大きい底部５２を有する食事用具収納篭５の筒形枠部５１の一側と他側との間に、筒形枠部５１内を一側室５１ｃと他側室５１ｄとに区分し、筒形枠部５１の上縁と離隔した位置で食事用具Ｂが立て掛けられる区分部材５４を設け、さらに、他側室５１ｄの高さを一側室５１ｃより低くし、一側室５１ｃに挿入される食事用具Ｂの立て掛け角度と、他側室５１ｄに挿入される食事用具Ｂの立て掛け角度とを比較的大きく異ならせるようにしたものである。尚、底部５２は図７において前後となる側の外縁が筒形枠部５１外面より外側となる大きさに形成されている。
【００３０】
実施の形態３において、食事用具収納篭５は、一側室５１ｃの幅Ｗ１と、他側室５１ｄの幅Ｗ２との比率、及び一側室５１ｃの高さＨ１と、他側室５１ｄの高さＨ２との比率を夫々変えることにより適宜の大きさに形成される。
【００３１】
実施の形態３にあっては、食事用具Ｂを一側室５１ｃ及び他側室５１ｄに挿入することができ、しかも、一側室５１ｃに挿入された食事用具Ｂの立て掛け角度と、他側室５１ｄに挿入された食事用具Ｂの立て掛け角度とを比較的大きく異ならせて、食事用具Ｂを分散して立て掛けることができるため、夫々の食事用具Ｂの全体に洗浄水をかけることができ、食事用具Ｂの全体を洗浄することができる。また、食事用具Ｂを分散して立て掛けることができるため、食事用具Ｂを乾き易くできる。
その他の構成及び作用は実施の形態１と同様であるため、同様の部品については同じ符号を付し、その詳細な説明及び作用効果の説明を省略する。
【００３２】
実施の形態４
図９〜図１２は食器洗い機の実施の形態４の食事用具収納篭の構成を示す正面図である。この食器洗い機は、実施の形態１〜３のように構成された食事用具収納篭５の複数を並置したものである。図９は対称に形成された二つの食事用具収納篭５，５を洗浄槽２内での上下位置が等しくなるように並置したものであり、図１０は上下の全長が異なる二つの食事用具収納篭５，５を入出口５ａ，５ａの洗浄槽２内での上下位置が等しくなるように並置したものであり、図１１は上下の全長が長い食事用具収納篭５の両側に上下の全長が短い二つの食事用具収納篭５，５を入出口５ａ，５ａ，５ａの洗浄槽２内での上下位置が夫々等しくなるように並置したものであり、図１２は上下の全長が長い食事用具収納篭５の一側に上下の全長が短い二つの食事用具収納篭５，５を入出口５ａ，５ａ，５ａの洗浄槽２内での上下位置が夫々等しくなるように並置したものである。尚、底部５２は図９〜図１２において前後となる側の外縁５２ａが筒形枠部５１外面より外側となる大きさに形成されている。
【００３３】
実施の形態４にあっては、並置された複数の食事用具収納篭５の夫々に同じ種類の食事用具Ｂを別々に収納することができるため、夫々の食事用具Ｂの全体に噴射水をかけることができ、食事用具Ｂの全体を洗浄することができるし、また、食事用具Ｂを乾き易くできる。
その他の構成及び作用は実施の形態１と同様であるため、同様の部品については同じ符号を付し、その詳細な説明及び作用効果の説明を省略する。
【００３４】
尚、以上説明した実施の形態の食事用具収納篭５は、筒形枠部５１及び底部５２が合成樹脂材により一体成形されている構成としたが、その他、食事用具収納篭５は交差する複数の線材により形成された構成としてもよい。この場合、底部５２は合成樹脂製としてもよい。
【００３５】
また、本発明に係る食器洗い機は、乾燥機能を有する食器洗い乾燥機の構成とする他、乾燥機能をなくした食器洗い機の構成としてもよい。
【図面の簡単な説明】
【００３６】
【図１】本発明に係る食器洗い機の構成を示す縦断正面図である。
【図２】図１のII−II線の断面図である。
【図３】本発明に係る食器洗い機の食事用具収納篭の構成を示す正面図である。
【図４】本発明に係る食器洗い機の食事用具収納篭の構成を示す斜視図である。
【図５】本発明に係る食器洗い機の実施の形態２の食事用具収納篭の構成を示す正面図である。
【図６】本発明に係る食器洗い機の食事用具収納篭の構成を示す斜視図である。
【図７】本発明に係る食器洗い機の実施の形態３の食事用具収納篭の構成を示す正面図である。
【図８】本発明に係る食器洗い機の食事用具収納篭の構成を示す斜視図である。
【図９】本発明に係る食器洗い機の実施の形態４の食事用具収納篭の構成を示す正面図である。
【図１０】本発明に係る食器洗い機の実施の形態４の食事用具収納篭の構成を示す正面図である。
【図１１】本発明に係る食器洗い機の実施の形態４の食事用具収納篭の構成を示す正面図である。
【図１２】本発明に係る食器洗い機の実施の形態４の食事用具収納篭の構成を示す正面図である。
【符号の説明】
【００３７】
２    洗浄槽
５    食事用具収納篭
５１  筒形枠部
５２  底部
５３  区分部材
【図１】
2006288893.tif 000003
【図２】
2006288893.tif 000004
【図３】
2006288893.tif 000005
【図４】
2006288893.tif 000006
【図５】
2006288893.tif 000007
【図６】
2006288893.tif 000008
【図７】
2006288893.tif 000009
【図８】
2006288893.tif 000010
【図９】
2006288893.tif 000011
【図１０】
2006288893.tif 000012
【図１１】
2006288893.tif 000013
【図１２】
2006288893.tif 000014